(57)【要約】【課題】窓部のカーテン装置等として使用することができるスクリーン装置の設置の容易化とコストの低減を図ることである。【解決手段】スクリーン設置位置における上側部のレール取付け対象に取り付けられるガイドレール１０と、そのガイドレール１０に吊下げ支持されて開閉自在とされた複数のフレキシブルな矩形状のスクリーン２０とからなる。ガイドレール１０を、一対のフランジ１１を両側に有し、その一対のフランジ１１間にわたるウェブ１２の下面に複数のガイド溝１３を等間隔に設け、各ガイド溝１３の両側下部から内方に向けて一対のガイド突条１４を設けたアルミまたは樹脂の押出し成形品とする。スクリーン２０の上辺部にファスナテープ２１を取り付け、そのファスナテープ２１の一側縁に設けられたファスナエレメント２２をガイド溝１３内に挿入し、複数のガイド溝１３のそれぞれでスクリーン２０をスライド自在に支持する。【選択図】図２
2016067801.tif 000002
【特許請求の範囲】
【請求項１】
スクリーン設置位置における上側部のレール取付け対象に取り付けられるガイドレールと、そのガイドレールに吊下げ支持されて開閉自在とされた複数のスクリーンとからなり、前記ガイドレールが、一対のフランジを両側に有し、その一対のフランジ間にわたるウェブの下面に、そのウェブの両端方向に延びる複数のガイド溝がウェブの幅方向に等間隔に設けられ、各ガイド溝の両側下部から内方に向けて一対のガイド突条が設けられたアルミまたは樹脂を素材とする押出し成形品とされ、前記スクリーンが、フレキシブルな矩形状のシート状物からなり、そのスクリーンの上辺部に、ファスナエレメントを一側縁に有するファスナテープが取り付けられ、前記ファスナエレメントが前記ガイド溝内に挿入されて前記一対のガイド突条により抜止め状態でスライド自在に支持されたスクリーン装置。
【請求項２】
前記スクリーンが、ウェイトバーを下辺部に有してなる請求項１に記載のスクリーン装置。
【請求項３】
前記ガイドレールを長さの長い分割レールと、長さの短い分割レールとに分割し、長さの短い分割レールを着脱自在の取り付けとした請求項１又は２に記載のスクリーン装置。
【請求項４】
前記ガイドレールが、一対のフランジのそれぞれ上側に内向き突出片部を有し、そのガイドレールの長さ方向に間隔をおいてレール取付け対象に取り付けられる複数のブラケットを介してガイドレールの取り付けとし、そのブラケットが、レール取付け対象にねじ止めされる基板部の両側に一対の側板が設けられたラッチガイドと、そのラッチガイドの一対の側板間においてストローク量を一定とする状態でスライド自在に支持されたスライドラッチと、そのスライドラッチを一方向に向けて付勢する弾性部材を有してなり、前記スライドラッチの付勢方向の先端側に係合突部が設けられ、前記ラッチガイドにおける一対の側板にはスライドラッチの付勢方向と反対側の端縁に係合片が設けられ、その係合片および前記係合突部のそれぞれを前記ガイドレールの内向き突出片部のそれぞれに係合させてガイドレールの取り付けとする請求項１乃至３のいずれか１項に記載のスクリーン装置。
【発明の詳細な説明】
【技術分野】
【０００１】
この発明は、建屋における窓部の屋内側に設置されるカーテン装置や、出入口の開閉装置、あるいは、部屋の間仕切り装置などに使用することができるスクリーン装置に関する。
【背景技術】
【０００２】
室内への直射日光の差し込みを抑制し、プライバシーが侵害されるのを防止する等の目的から、建物における窓部には、普通、屋内側にカーテン装置が設置されるが、その設置に際し、従来では、特許文献１に記載されているように、窓枠の上枠にレールを取り付け、そのレールでカーテンを吊下げて開閉自在としている。
【０００３】
また、カーテンの吊下げに際し、そのカーテンの上側に複数のフックを取り付け、そのフックのそれぞれをレールに沿って移動自在に設けられたランナーの吊下げ孔に係合している。
【先行技術文献】
【特許文献】
【０００４】
【特許文献１】特開平１１-２２５８７７号公報
【発明の概要】
【発明が解決しようとする課題】
【０００５】
ところで、従来から知られているカーテン装置のカーテンにおいては、カーテン生地の丈方向に延びる山折り目と谷折り目を幅方向に等間隔に設けてアコーデオン状に折り畳み可能にしたものや、複数の折り込みにより形成される複数の襞を幅方向に等間隔に設けて、それぞれの襞にフックの掛け吊り部を設けたものが用いられており、これらのカーテン地は特殊な生地であるため、専門店で買い求める必要があり、高価であって、生地の選択肢が狭いという問題がある。
【０００６】
また、折り目や襞の形成によって広い面積の生地を必要として重量も重くなり、スムーズに開閉させることができず、しかも、多数のフックを用いて掛け吊りしているため、カーテン装置の設置やカーテン地の取り付け、取り外しに手間がかかるという問題がある。
【０００７】
この発明の課題は、窓部のカーテン装置として、あるいは、建屋の出入口の開閉装置として、さらには、部屋の間仕切り装置などに使用することができるスクリーン装置の設置の容易化とコストの低減を図ることである。
【課題を解決するための手段】
【０００８】
上記の課題を解決するため、この発明においては、スクリーン設置位置における上側部のレール取付け対象に取り付けられるガイドレールと、そのガイドレールに吊下げ支持されて開閉自在とされた複数のスクリーンとからなり、前記ガイドレールが、一対のフランジを両側に有し、その一対のフランジ間にわたるウェブの下面に、そのウェブの両端方向に延びる複数のガイド溝がウェブの幅方向に等間隔に設けられ、各ガイド溝の両側下部から内方に向けて一対のガイド突条が設けられたアルミまたは樹脂を素材とする押出し成形品とされ、前記スクリーンが、フレキシブルな矩形状のシート状物からなり、そのスクリーンの上辺部に、ファスナエレメントを一側縁に有するファスナテープが取り付けられ、前記ファスナエレメントが前記ガイド溝内に挿入されて前記一対のガイド突条により抜止め状態でスライド自在に支持された構成を採用したのである。
【０００９】
上記の構成からなるスクリーン装置の設置に際しては、ガイドレールに設けられたガイド溝の端部から内部にスクリーンの上辺部に設けられたファスナテープのファスナエレメントをスライド自在に挿入し、複数のガイド溝のそれぞれによってスクリーンが支持される状態でスクリーン設置位置における上側部にガイドレールを取り付ける。
【００１０】
ここで、スクリーンは、布地であってもよく、柔軟な樹脂シートであってもよい。この布地や樹脂シートはスクリーン装置の設置部の大きさに応じて所定の大きさに裁断し、その片面の上辺部にファスナテープを沿わせてステープルの打ち込みや縫着、接着、溶着による手段を介して固着する。
【００１１】
この発明に係るスクリーン装置をカーテン装置として使用する場合は、窓枠の上枠をレール取付け対象としてガイドレールの取り付けとし、また、出入口の開閉装置として使用する場合は、開口枠の上枠をガイドレールのレール取付け対象とする。さらに、部屋の間仕切り装置としての使用に際しては、部屋の天井をレール取付け対象とする。
【００１２】
このとき、ガイドレールはアルミあるいは樹脂の押出し成形品であるため、軽量であり、そのガイドレールに吊下げ支持されるスクリーンも布地や樹脂シートからなるフレキシブルな矩形状の極めて軽量なシート状物であるため、全体が軽量物であって取り扱いが容易である。このため、スクリーン装置を簡単に設置することができると共に、スクリーンを極めてスムーズに開閉することができる。
【００１３】
ここで、スクリーンの下辺部を折り返し、その折り返し部の端縁部を縫着して袋部を設け、その袋部内にウェイトバーを挿入しておくことにより、スクリーンを上下方向（丈方向）に緊張させることができ、体裁のよい状態を得ることができる。
【００１４】
また、ガイドレールを長さの長い分割レールと、長さの短い分割レールとに分割して、長さの短い分割レールを着脱自在の取り付けとすることにより、長さの短い分割レールを取り外すことで、その取り外し部からスクリーンの上側辺に取り付けられたファスナエレメントのそれぞれを抜き差しすることができることになり、ガイドレールの取り付け後にスクリーンの取り付けを行うことができ、スクリーン装置をより簡単に設置することができる。また、スクリーンを簡単に交換することができる。
【００１５】
ガイドレールはレール取付け対象にねじ止めしてもよく、ブラケットを介して取り付けとしてもよい。
【００１６】
ブラケットとして、レール取付け対象にねじ止めされる基板部の両側に一対の側板が設けられたラッチガイドと、そのラッチガイドの一対の側板間においてストローク量を一定とする状態でスライド自在に支持されたスライドラッチと、そのスライドラッチを一方向に向けて付勢する弾性部材を有してなり、上記スライドラッチの付勢方向の先端側に係合突部を設け、上記ラッチガイドにおける一対の側板にはスライドラッチの付勢方向と反対側の端縁に係合片を設けた構成とされたものを採用することができる。
【００１７】
上記ブラケットを採用するガイドレールの取り付けに際しては、ガイドレールの一対のフランジの上側に内向き突出部を設けておく。そして、ガイドレールの取り付けに際し、レール取付け対象にラッチガイドをねじ止めして複数のブラケットをガイドレールの長さ方向に間隔を取り付け、その取付け状態でスライドラッチを押し込み、そのスライドラッチの係合突部とラッチガイドの係合片の先端間にガイドレールの一対のフランジを嵌合し、係合片を一方のフランジの内向き突出片部に係合させた状態でスライドラッチの押し込みを解除する。その押し込み解除によりスライドラッチが弾性部材の復元弾性で復帰移動し、係合突部がガイドレールの内向き突出片部に係合してガイドレールの取り付けとされ、ガイドレールを簡単に取り付けることができる。
【００１８】
また、スライドラッチを押し込み、その押し込み方向と同方向にガイドレールを幅方向に押し込むことにより、スライドラッチに設けられた係合突部およびラッチガイドに設けられた係合片が内向き突出片部に対して係合解除し、ガイドレールを引き下げることで簡単に取り外すことができる。
【発明の効果】
【００１９】
この発明においては、上記のように、複数条のガイド溝を有するガイドレールがアルミや合成樹脂の押出し成形品からなり、そのガイドレールの複数のガイド溝内にスライド自在に挿入されるファスナエレメントを上辺部に有する開閉可能なスクリーンがフレキシブルな矩形状のシート状物であるため、極めて軽量な取り扱いの容易なスクリーン装置を得ることができ、窓部等のスクリーン設置部に対してきわめて容易に設置することができる。
【００２０】
また、スクリーンは、矩形状であるため、入手の容易な布地や樹脂シートを採用することができ、選択肢が広く、開閉操作の容易なコストの安いスクリーン装置を得ることができる。
【図面の簡単な説明】
【００２１】
【図１】この発明に係るスクリーン装置の実施の形態を示す正面図
【図２】図１のII−II線に沿った断面図
【図３】（I）は図２のガイドレール部を拡大して示す断面図、（II）はガイドレールの取り付け途中の状態を示す断面図
【図４】ガイドレールを示す斜視図
【図５】ガイドレール取付け用のブラケットを示す分解斜視図
【発明を実施するための形態】
【００２２】
以下、この発明の実施形態を図面に基づいて説明する。図１および図２に示すように、スクリーン装置Ａは、ガイドレール１０と、そのガイドレール１０に吊下げ支持された複数のスクリーン２０と、上記ガイドレール１０をスクリーン設置部位のレール取付け対象Ｂに取り付けるブラケット３０からなる。
【００２３】
図３および図４に示すように、ガイドレール１０は、一対のフランジ１１と、その一対のフランジ１１間に設けられたウェブ１２を有し、上記一対のフランジ１１の上側に断面Ｌ形の内向き突出片部１１ａが設けられ、上記ウェブ１２の下面に複数のガイド溝１３がウェブ１２の幅方向に等間隔に設けられ、その複数のガイド溝１３のそれぞれ両側下部に内方に向く一対のガイド突条１４が設けられた押出し成形品からなる。
【００２４】
実施の形態では、ガイドレール１０をアルミの押出し成形品としているが、合成樹脂の押出し成形品であってもよい。また、ガイド溝１３の本数として６本のものを示したが、ガイド溝１３の本数はこれに限定されず、少なくとも２本以上あればよい。
【００２５】
図１に示すように、ガイドレール１０は、長さの長い分割レール１０ａと、長さの短い分割レール１０ｂとに２分割され、その分割レール１０ａ、１０ｂは端面が互いに衝合する直線状の取り付けとされる。
【００２６】
図２に示すように、スクリーン２０は、布地や合成樹脂シート等のフレキシブルな薄手の矩形状のシート状物からなる。このスクリーン２０の上辺部にはスライドファスナの構成部品としてのファスナテープ２１が固着され、そのファスナテープ２１の一側縁部に設けられたファスナエレメント２２がスクリーン２０の上辺より上位に位置する取り付けとされている。
【００２７】
ファスナテープ２１の固着に際しては、ステープルの打ち込みや、縫着、接着、溶着等の手段を採用することができる。
【００２８】
スクリーン２０は、ファスナエレメント２２がガイドレール１０のガイド溝１３内にスライド自在に挿入されてガイドレール１０に吊下げ支持され、ガイド溝１３に沿ってスライド自在とされる。
【００２９】
スクリーン２０は、スクリーン装置Ａの設置部に対応して所定の大きさに裁断されたものが数枚を１組として使用される。このスクリーン２０の枚数はガイドレール１０におけるガイド溝１３と同数とされ、ガイドレール１０の一つのガイド溝１３に対して１枚のスクリーン２０がスライド自在の支持とされる。また、スクリーン２０は、ガイド溝１３に沿ってスライドして閉鎖状態とした場合に、図１に示すように、隣接する前後のスクリーン２０は側縁部が前後でオーバラップするような幅寸法とされている。
【００３０】
スクリーン２０の下辺部は上方に折り返され、端縁部の縫着により両側縁にわたる袋部２３が設けられている。袋部２３内にはウェイトバー２４が挿入され、そのウェイトバー２４によってスクリーン２０は上下方向に緊張する体裁の良い状態とされる。
【００３１】
図３（I）および図５に示すように、ブラケット３０は、ラッチガイド３１とスライドラッチ４１と、そのスライドラッチ４１を一方向に付勢する弾性部材５１からなる。
【００３２】
ラッチガイド３０はレール取付け対象Ｂに衝合される基板部３２の両側に一対の側板３３を折曲げにより設け、その一対の側板３３のそれぞれ側縁から内向きに案内片３４を折曲げによって形成している。
【００３３】
また、一対の側板３３のそれぞれ一端縁に係合片３５を設け、一方、上記基板部３２の一端縁には側板３３と同方向に向くばね受片３６を折曲げにより設けている。このラッチガイド３０は、基板部３２に形成されたねじ挿入孔３７に挿入されてレール取付け対象Ｂにねじ込まれるタッピングねじ等のねじ３８の締め付けによって固定される。
【００３４】
スライドラッチ４１は、角形をなし、ラッチガイド３１の一対の側板３３間においてスライド可能な組み込みとされ、ばね受片３６と対向する反対側の端部両側に一対の弾性片４２が設けられ、その弾性片４２の先端部外側に設けられた突起部４３がラッチガイド３１の側板３３に形成された長孔３９内に挿入され、その長孔３９の後端縁に対する突起部４３の当接によってスライドラッチ４１は抜止めされ、上記長孔３９の後端縁とばね受片３６間において一定ストロークスライド自在とされている。
【００３５】
また、スライドラッチ４１は、ばね受片３６との間に組み込まれた前述の弾性部材５１によってばね受片３６から離反する方向に向けて付勢され、一対の案内片３４で案内される下面には、付勢方向における前側部に先端部が付勢方向に突出するようにして係合突部４４が設けられている。
【００３６】
また、スライドラッチ４１の付勢方向における前側面には操作片４５が設けられ、その操作片４５の押し込みにより弾性部材５１の弾性に抗してばね受片３６側に向けて移動させることにより、ラッチガイド３１の係合片３５とスライドラッチ４１の係合突部４４の先端間の寸法がガイドレール１０の内向き突出片部１１ａの対向部間の寸法より小さな寸法とされるようになっている。
【００３７】
実施の形態で示すスクリーン装置Ａは上記の構造からなり、そのスクリーン装置Ａを窓部のカーテン装置として使用する場合は、窓部の屋内側にスクリーン装置Ａを設置する。
【００３８】
スクリーン装置Ａの設置に際しては、窓枠の上枠をレール取付け対象Ｂとし、そのレール取付け対象Ｂに複数のブラケット３０を取り付け、そのブラケット３０でガイドレール１０を支持する。
【００３９】
この場合、複数のブラケット３０は、ガイドレール１０の長さ方向に間隔をおいて配置すると共に、スライドラッチ４１の操作片４５がガイドレール１０の一側面側に位置する配置として、ラッチガイド３１をレール取付け対象Ｂにねじ込まれるねじ３８の締め付けで固定する。
【００４０】
ブラケット３０の取り付け後、ガイドレール１０の取り付けとする。ガイドレール１０の取り付けに際しては、ガイドレール１０を幅方向に傾斜させ、図３（II）で示すように、一方のフランジ１１に設けられた内向き突出片部１１ａをラッチガイド３１の側板３３端縁に設けられた係合片３５に係合する。その係合後、操作片４５の押し込みによりスライドラッチ４１を弾性部材５１の弾性に抗してばね受片３６側に向けて移動させ、そのスライドラッチ４１に設けられた係合突部４４の先端が他方の内向き突出片部１１ａの先端から後退する状態でガイドレール１０を水平状態とし、上記突出片部１１ａが一対の側板３３間に収まる状態で操作片４５の押し込みを解除する。
【００４１】
上記操作片４５の押し込み解除により、弾性部材５１の復元弾性によってスライドラッチ４１が復帰移動し、図３（I）に示すように、係合突部４４がフランジ１１の内向き突出片部１１ａに係合し、ガイドレール１０の取り付けとされる。
【００４２】
上記のようなガイドレール１０の取り付けに際しては、長さの長い分割レール１０ａを長さの短い分割レール１０ｂより先の取り付けとする。その長さの長い分割レール１０ａの取り付け後、その分割レール１０ａの一端部から複数のガイド溝１３のそれぞれ内部にスクリーン２０の上辺部に固着されたファスナテープ２１のファスナエレメント２２を挿入し、複数のガイド溝１３のそれぞれでスクリーン２０が吊下げ支持される状態で長さの短い分割レール１０ｂをブラケット３０に取り付けることによりスクリーン装置Ａの設置とすることができる。
【００４３】
上記のように、長さの長い分割レール１０ａの取り付け後において複数のガイド溝１３のそれぞれ内部にスクリーン２０のファスナエレメント２２を挿入し、その後、長さの短い分割レール１０ｂを取り付けることでスクリーン装置Ａの設置とすることができるため、スクリーン装置Ａを極めて容易に設置することができると共に、ガイドレール１０は押出し成形品により形成されて軽量であり、また、スクリーン２０もフレキシブルな矩形状の軽量なシート状物であるため、取り扱いが容易であり、短時間でもってスクリーン装置Ａを設置することができる。
【００４４】
また、スクリーン２０は、入手の容易な布地や樹脂シートを採用することができるため、選択肢が広く、コストの安いスクリーン装置を得ることができる。
【００４５】
さらに、スクリーン２０は軽量であり、また、上辺部に固着されたファスナテープ２１のファスナエレメント２２は合成樹脂の成形品であるため、すべり性が良好であり、スクリーン２０を極めてスムーズに開閉することができる。
【００４６】
ここで、スクリーン２０の交換に際しては、長さの短い分割レール１０ｂを取り外し、その分割レール１０ｂの取り外し部からスクリーン２０におけるファスナエレメント２２の引き抜きと差し込みとを行い、複数のスクリーン２０の装着後に、分割レール１０ｂの取り付けとする。
【００４７】
このように、分割レール１０ｂの取り外し部位からスクリーン２０の取り付け、取り外しを行うことができるため、スクリーン２０を簡単に交換することができる。
【００４８】
実施の形態では、スクリーン装置Ａをカーテン装置に採用した場合を示したが、建屋の出入口における開閉装置として、あるいは、部屋の間仕切り装置として採用することができる。
【００４９】
出入口の開閉装置としての採用においては、開口枠の上枠をガイドレールのレール取付け対象とし、また、部屋の間仕切り装置としての採用においては、天井をレール取付け対象とする。
【００５０】
また、実施の形態では、ガイドレール１０をブラケット３０を介して取り付けとしたが、ねじ止めによる手段を介してレール取付け対象Ｂに直接取り付けるようにしてもよい。
【符号の説明】
【００５１】
１０  ガイドレール
１０ａ  分割レール
１０ｂ  分割レール
１１  フランジ
１１ａ  内向き突出片部
１２  ウェブ
１３  ガイド溝
１４  ガイド突条
２０  スクリーン
２１  ファスナテープ
２２  ファスナエレメント
２４  ウェイトバー
３０  ブラケット
３１  ラッチガイド
３２  基板部
３３  側板
３４  案内片
３５  係合片
４１  スライドラッチ
４４  係合突部
５１  弾性部材
【図１】
2016067801.tif 000003
【図２】
2016067801.tif 000004
【図３】
2016067801.tif 000005
【図４】
2016067801.tif 000006
【図５】
2016067801.tif 000007